(57)【特許請求の範囲】
【請求項１】
便座（１０）に座るとき、用便者の荷重でシートバネ（１３０）を圧縮させながら用便者を検知し、用便者が便座（１０）から立ち上がるとき、シートバネ（１３０）の復元力で便座（１０）が復元されながら水槽及び水道栓から水の供給を受けて用便を洗浄する自動洗浄水供給装置において、
前記便座（１０）に固定され、前記便座（１０）の下降及び上昇動作と連動して空気を排出及び吸入する空気排出孔（５１１）を有する調節体（５１０）と；
前記空気排出孔（５１１）を開閉する開閉部材（５２０）と；
前記開閉部材（５２０）の離脱を防止する離脱防止部材（５３０）と；
前記調節体（５１０）の内部に対して昇降しながら前記調節体（５１０）の内部空気を空気排出孔（５１１）から排出させ、前記調節体（５１０）の外部空気を吸入するように人体感知部（１００’）に固定される昇降案内部材（５４０）と； 
前記昇降案内部材（５４０）に穿設された通孔（５４１）に結合され、該通孔（５４１）に吸い込まれる空気の量を調節する空気量調節フィルター（５５０）と、
前記通孔（５４１）に締結されて前記空気量調節フィルター（５５０）の離脱を防止するとともに、前記空気量調節フィルター（５５０）の圧縮程度に応じて空気の移動量を調節するボルト（５６０）と；を含んで調節部（５００）が構成されることを特徴とする、人体荷重のみで空気の排出及び吸入制御機能を備えた無電源自動洗浄水供給便座の調節部。
【請求項２】
前記昇降案内部材（５４０）の下降移動時間を調節して、用便者のトイレットペーパーを捨てるための時間を調節するトイレットペーパー廃棄時間調節部（５７０）をさらに含んでなることを特徴とする、請求項１に記載の人体荷重のみで空気の排出及び吸入制御機能を備えた無電源自動洗浄水供給便座の調節部。
【請求項３】
前記トイレットペーパー廃棄時間調節部（５７０）は、
前記昇降案内部材（５４０）の上面に突設されるトイレットペーパータイム調節リブ（５７１）と、
前記トイレットペーパータイム調節リブ（５７１）を収容するように調節体（５１０）に設けられるリブ着脱溝（５７２）と、
前記調節体（５１０）に穿設されるトイレットペーパータイム調節孔（５７３）と、
前記トイレットペーパータイム調節孔（５７３）に結合され、前記トイレットペーパータイム調節リブ（５７１）が前記リブ着脱溝（５７２）に対して結合及び離脱しながら前記トイレットペーパータイム調節孔（５７３）を開閉するトイレットペーパータイム調節開閉部材（５７４）とを含んでなることを特徴とする、請求項２に記載の人体荷重のみで空気の排出及び吸入制御機能を備えた無電源自動洗浄水供給便座の調節部。
【請求項４】
前記トイレットペーパー廃棄時間調節部（５７０）は、前記トイレットペーパータイム調節開閉部材（５７４）の復元を案内する開閉復元部材（５７５）をさらに含んでなることを特徴とする、請求項３に記載の人体荷重のみで空気の排出及び吸入制御機能を備えた無電源自動洗浄水供給便座の調節部。
【請求項５】
前記トイレットペーパー廃棄時間調節部（５７０）は、該トイレットペーパータイム調節孔（５７３）に吸い込まれる空気の量を調節する空気量調節フィルター（５７６）と、
前記空気の移動を案内するように内部が貫通しており、前記空気量調節フィルター（５７６）の離脱を防止するトイレットペーパータイム調節ボルト（５７７）とをさらに含んでなることを特徴とする、請求項３に記載の人体荷重のみで空気の排出及び吸入制御機能を備えた無電源自動洗浄水供給便座の調節部。
【発明の詳細な説明】
【技術分野】
【０００１】
本発明は、無電源洗浄水供給便座に係り、より詳細には、用便者の荷重で移動する便座の上昇動作と連動して用便を洗浄する洗浄水供給時間を調節することができる、人体荷重のみで空気の排出及び吸入制御機能を備えた無電源自動洗浄水供給便座の調節部に関する。
【背景技術】
【０００２】
一般に、便器は、家庭や建物のトイレに設置され、用便者の用便後、用便がレバーの加圧により排水される洗浄水と一緒に浄化槽へ排出されるように構成されるが、最近では、レバーの手動操作ではなく、水圧を用いて洗浄が自動的に駆動されるようにする、便器の無電源自動洗浄装置が、特許文献１に開示されている。
【０００３】
この先行公開特許では、便座への用便者の着座の際に、用便者の荷重で開放される水路を介して水道栓の水が作動部へ供給され、作動部に供給される水の水圧でシリンダーロッドを加圧してバネを圧縮させながら移動させるとともに、シリンダーロッドの移動距離によって用便者の大小便を判断し、用便者の脱座の際に、圧縮されたバネの復元力によってシリンダーロッドを移動させた水を洗浄水供給装置へ供給することにより、大小便に対応する洗浄水を排出して用便を洗浄した。
【０００４】
ところが、この先行公開特許は、水道栓から供給される水の水圧がバネの張力よりも弱い場合、シリンダーロッドを加圧して移動させないため、用便者の大小便を判断することができないとともに、洗浄が作動しないという問題点があった。
【０００５】
また、水道栓へ供給される水が正常水圧であっても、多数の便器で用便を同時に洗浄する場合、水圧が分散して弱くなるにつれて大便判断位置だけシリンダーロッドが前進できないため小便量の洗浄水が排出されるので、用便が残って便器が詰まったり悪臭が発生したりする原因になるのはもちろんのこと、非衛生的な問題点があった。さらに、残った用便を洗浄するために、もう一度手動でレバーを加圧して水を供給しなければならない面倒な問題点があった。
【０００６】
さらに、水の水圧で作動する作動部の構成が複雑であって生産性が低下するという問題点や、部品の構成が多くて連結部位からの漏水が発生し、或いは水路に異物などが溜まって誤動作が発生するという問題点などがあった。
【０００７】
かかる問題点を解決するために、近年では、人体荷重のエネルギーのみで大小便を区分して便器自動洗浄水供給が可能な便座が特許文献２に開示されている。
【０００８】
この先行登録特許では、便座に着座する用便者の荷重で便座が下降しながら、第１、２装填ローラーの間隔が狭くなるにつれて装填ワイヤーの緊張力が失われるとともに装填ワイヤーに固定された装填ワイヤー固定部材は、装填バネの復元力で、洗浄水供給ワイヤーの端部が固定された洗浄水供給ワイヤー固定部材に装着された着脱部材に係止されて便座の下降で流体を加圧しながら、移動する接触部材が大小便区分判断部を加圧すると小便と判断し、シリンダーロードが大小便区分判断部を加圧すると大便と判断した状態で、用便者が便座から脱座すると、判断された大小便による通孔の開閉有無に応じて流体の移動量を調節するとともに、便座の復元で第１、２装填ローラーの間隔が広がることにより、装填ワイヤーが緊張されながら洗浄水供給ワイヤー固定部材及び洗浄水供給ワイヤーを引っ張って大小便に対応する洗浄水を便器本体に排出して用便を洗浄した。
【０００９】
しかし、先行登録特許は、便座に着座及び脱座する用便者の荷重で流体をシリンダーへ供給するときに流体の移動構造が複雑であって部品の数が増加するので、組み立てが難しいうえ、製造コストの上昇により経済性が低下するという問題点があった。
【００１０】
また、部品の連結部位を介して流体が漏れるおそれがあって維持管理が難しく、不良率が高くなり、オイルの注入量及び温度の変化による粘度差によって作動時間が異なるため誤動作が発生するのはもちろんのこと、別途装着された水路開閉弁のオン／オフエラーで水を供給しないか或いは供給し続けるため使用者における製品への信頼性の低下を引き起こすという問題点があった。
【先行技術文献】
【特許文献】
【００１１】
【特許文献１】韓国公開特許公報第１０−２０１０−００２２７８１号公報
【特許文献２】韓国登録特許第１０−１０７１９８１号公報
【発明の概要】
【発明が解決しようとする課題】
【００１２】
そこで、本発明は、上述したような従来の諸欠陥に鑑みてなされたもので、その目的は、用便者の荷重で移動する便座の上昇動作と連動して用便を洗浄する洗浄水供給時間を調節することができるとともに、洗浄水供給時間を調節する構成の簡素化に起因する部品数の節減により組立の簡便化および製造コストの節減を図ることができる、人体荷重のみで空気の排出及び吸入制御機能を備えた無電源自動洗浄水供給便座の調節部を提供することにある。
【００１３】
また、本発明の他の目的は、漏水及び流体の温度変化による誤動作を防止するとともに、吸入される空気の移動量を調節して洗浄水供給時間を調節することができる、人体荷重のみで空気の排出及び吸入制御機能を備えた無電源自動洗浄水供給便座の調節部を提供することにある。
【課題を解決するための手段】
【００１４】
本発明の人体荷重のみで空気の排出及び吸入制御機能を備えた無電源自動洗浄便座の調節部は、
便座に座るとき、用便者の荷重でシートバネを圧縮させながら用便者を検知し、用便者が便座から立ち上がるとき、シートバネの復元力で便座が復元されながら水槽及び水道栓から水の供給を受けて用便を洗浄する自動洗浄水供給装置において、
前記便座に固定され、前記便座の下降及び上昇動作と連動して空気を排出及び吸入する空気排出孔を有する調節体と；
前記空気排出孔を開閉する開閉部材と；
前記開閉部材の離脱を防止する離脱防止部材と；
前記調節体の内部に対して昇降しながら前記調節体の内部空気を空気排出孔から排出させ、前記調節体の外部空気を吸入するように人体感知部に固定される昇降案内部材と；を含んで調節部が構成されることを特徴とする。
【発明の効果】
【００１５】
本発明によれば、用便者の荷重で移動する便座の上昇動作と連動して用便を洗浄する洗浄供給時間を調節することができるとともに、洗浄水供給時間を調節する構成の簡素化に起因する部品数の節減により組立の簡便化および製造コストの節減を図って経済性を向上させることができるという利点を持つ。
【００１６】
また、本発明によれば、流体の漏水及び温度変化による誤動作を防止するとともに、吸入される空気の移動量を調節して洗浄水供給時間を調節することができるので、容易に使用可能であるという利点を持つ。
【図面の簡単な説明】
【００１７】
【図１】本発明が適用された便座の斜視図である。
【図２】本発明の分離斜視図である。
【図３】本発明の設置状態図である。
【図４】本発明の便座に用便者が座るときの作動状態図である。
【図５】本発明の便座に用便者が座るときの作動状態図である。
【図６】本発明の便座に用便者が座るときの作動状態図である。
【図７】本発明の便座に用便者が座るときの作動状態図である。
【図８】本発明の便座に用便者が座るときの作動状態図である。
【図９】本発明の便座に用便者が座るときの作動状態図である。
【図１０】本発明の便座に用便者が座るときの作動状態図である。
【図１１】本発明の便座に用便者が座るときの作動状態図である。
【図１２】本発明の便座に用便者が座るときの作動状態図である。
【図１３】本発明の便座に用便者が座るときの作動状態図である。
【図１４】本発明の便座に用便者が座るときの作動状態図である。
【図１５】本発明の便座から用便者が立ち上がるときの作動状態図である。
【図１６】本発明の便座から用便者が立ち上がるときの作動状態図である。
【図１７】本発明の便座から用便者が立ち上がるときの作動状態図である。
【図１８】本発明の便座から用便者が立ち上がるときの作動状態図である。
【図１９】本発明の便座から用便者が立ち上がるときの作動状態図である。
【図２０】本発明の便座から用便者が立ち上がるときの作動状態図である。
【図２１】本発明の便座から用便者が立ち上がるときの作動状態図である。
【図２２】本発明の便座から用便者が立ち上がるときの作動状態図である。
【図２３】本発明の便座から用便者が立ち上がるときの作動状態図である。
【図２４】本発明の便座から用便者が立ち上がるときの作動状態図である。
【図２５】本発明の便座から用便者が立ち上がるときの作動状態図である。
【図２６】本発明の便座から用便者が立ち上がるときの作動状態図である。
【発明を実施するための形態】
【００１８】
以下、添付図面に基づいて本発明を詳細に説明する。図１は本発明が適用された便座の斜視図、図２は本発明の分離斜視図である。
【００１９】
本発明の人体荷重のみで空気の排出及び吸入制御機能を備えた無電源自動洗浄水供給便座の調節部は、便座１０に座るとき、用便者の荷重でシートバネ１３０を圧縮させながら用便者を検知し、用便者が便座１０から立ち上がるとき、シートバネ１３０の復元力で便座１０が復元されながら水槽及び水道栓から水の供給を受けて用便を洗浄する自動洗浄水供給装置において、前記便座１０に固定され、便座１０の下降及び上昇動作と連動して空気を排出及び吸入する空気排出孔５１１を有する調節体５１０と、前記空気排出孔５１１を開閉する開閉部材５２０と、前記開閉部材５２０の離脱を防止する離脱防止部材５３０と、前記調節体５１０の内部に対して昇降しながら前記調節体５１０の内部空気を空気排出孔５１１から排出させ、前記調節体５１０の外部空気を吸入するように人体感知部１００’に固定される昇降案内部材５４０とを含んで調節部５００が構成される。次に、これをより具体的に説明する。
【００２０】
前記昇降案内部材５４０に穿設された通孔５４１に結合され、該通孔５４１に吸い込まれる空気の量を調節する空気量調節フィルター５５０と、前記通孔５４１に締結されて空気量調節フィルター５５０の離脱を防止し、空気量調節フィルター５５０の圧縮程度に応じて空気の移動量を調節するボルト５６０とをさらに含んでなる。
【００２１】
前記昇降案内部材５４０の下降移動時間を調節して、用便者のトイレットペーパーを捨てるための時間を調節するトイレットペーパー廃棄時間調節部５７０をさらに含んでなり、前記トイレットペーパー廃棄時間調節部５７０は、前記昇降案内部材５４０の上面に突出するトイレットペーパータイム調節リブ５７１と、前記トイレットペーパータイム調節リブ５７１を収容するように調節体５１０に設けられるリブ着脱溝５７２と、前記調節体５１０に穿設されるトイレットペーパータイム調節孔５７３と、前記トイレットペーパータイム調節孔５７３に結合され、トイレットペーパータイム調節リブ５７１がリブ着脱溝５７２に対して結合及び離脱し、トイレットペーパータイム調節孔５７３を開閉するトイレットペーパータイム調節開閉部材５７４とを含んでなる。
【００２２】
前記トイレットペーパータイム調節開閉部材５７４の復元を案内する開閉復元部材５７５をさらに含んでなる。
【００２３】
トイレットペーパータイム調節孔５７３に吸い込まれる空気の量を調節する空気量調節フィルター５７６と、前記空気の移動を案内するように内部が貫通しており、空気量調節フィルター５７６の離脱を防止するトイレットペーパータイム調節ボルト５７７とをさらに含んでなる。
【００２４】
以下、このように構成された本発明を詳細に説明する。
【００２５】
まず、本発明は、人体検知部１００、１００’、作動部３００及び装填解除部４００のみでも作動し、人体検知部１００、１００’、作動部３００、装填解除部４００及び調節部５００のみで作動するが、下記では人体検知部１００、１００’、大小便区分部２００、作動部３００、装填解除部４００及び調節部５００を含む構成に限定して説明する。
【００２６】
図３に示すように、便座１０に人体検知部１００、１００’、作動部３００、装填解除部４００、調節部５００及び大小便区分部２００を設置するが、前記作動部３００は、装填解除部４００によって制御されるように設置した後、前記便座１０を便器本体１１の上面に装着させながら前記作動部３００とサイフォン蓋２０とを洗浄水供給ワイヤー３０で連結する。
【００２７】
この状態で用便者が便座１０に座ると、図４及び図５に示すように、用便者の荷重によって便座１０が下方に移動しながら、便座１０に穿設された人体検知部１００、１００’の通孔１１１及びフック結合孔１２１へ感知板１１０の突起１１０’及びフック１２０が突出するとともに、前記便座１０と感知板１１０との間に位置したシートバネ１３０を圧縮させる。
【００２８】
また、前記便座１０と感知板１１０との間のシートバネ１３０を圧縮すると、図６〜図１０に示すように、前記人体検知部１００に一側が固定された大小便区分部２００のシリンダーワイヤー２１１は便座１０と人体検知部１００との間隔が狭くなるにつれてその緊張力が失われ、緊張力の失われたシリンダーワイヤー２１１はシリンダーバネ２１５の圧縮された復元力でローラー２１２を回転させながらロッドピン２１３及びシリンダーロッド２１３’をシリンダー体２１０の他側へ移動させる。
【００２９】
前記シリンダーバネ２１５は、シリンダー体２１０の一側に装着された第１キャップ２１４とロッドピン２１３との間に装着され、圧縮された復元力によってロッドピン２１３を加圧することができ、前記シリンダーロッド３１３’は、シリンダー体２１０の他側に装着された第２キャップ２１４’を介して突出する。
【００３０】
この際、前記シリンダーロッド２１３’の移動によってパッキン２１６が結合溝２１３ｂ’を通過しながら結合溝２１３ｂの方向に移動するとき、第２キャップ２１４’の内周面と溝２１４ａを閉鎖させて空気の流入を遮断するとともに、前記シリンダーロッド２１３’の移動で第１キャップ２１４を介してシリンダー体２１０の内部に流入する空気はロッドピン２１３とシリンダーロッド２１３’との間に装着された空気量調節フィルター２１３ｃの圧縮程度に応じて空気の移動量を調節することができるので、シリンダーロッド２１３’の移動速度を調節することができる。
【００３１】
前記シリンダーバネ２１５の復元力によって移動するシリンダーロッド２１３’が大小便切替部材２１７を加圧することができないため、大小便切替部材２１７に内蔵された接触部材２１７ａと小便量調節孔２１８に内蔵された接触部材２１７ｂとが接触している場合には、小便と判断し、前記シリンダーロッド２１３’が移動して大小便切替部材２１７を加圧して大小便切替部材２１７内の接触部材２１７ａと小便量調節孔２１８内の接触部材２１７ｂが離隔する場合には、大便と判断する。これは、接触部材２１７ａ、２１７ｂの接触／離隔に応じて小便量開閉部材２１９が復元部材２２０の復元力で移動しながら小便量調節孔２１８の開放面積を開閉して用便者が便座１０から立ち上がると、調節体５１０に吸い込まれて移動する空気の量を調節するためである。
【００３２】
また、図１１及び図１２に示すように、前記人体検知部１００’の感知板１１０に装着された作動部３００の加圧部材３１０が便座１０の内部に突出すると同時に、前記加圧部材３１０はレバー３２０を加圧する。
【００３３】
このとき、前記加圧部材３１０は、外周面が湾曲または傾斜するように形成され、レバー３２０を加圧して移動させることができ、前記加圧部材３１０の加圧に応じて、前記レバー３２０は、先端を中心に一側から他側へ回転して移動する。
【００３４】
ここで、前記レバー３２０は、前記レバー３２０を収容して便座１０に固定された回転装填解除部材３２１内でのみ回転することができる。
【００３５】
前記レバー３２０の回転移動に応じてレバー３２０と装填部材３４０とを連結した装填ワイヤー３３０を引いて装填するとともに、前記装填ワイヤー３３０は装填部材３４０を引っ張るが、前記装填部材３４０は渦巻きバネ、板バネ及びコイルバネのいずれか一つを使用することができる。
【００３６】
前記装填部材３４０が伸びるときに前記装填部材３４０の移動を案内する装填案内部材３５０は、装填解除部材４４０の装填解除突起４４２が、装填案内部材３５０に突設された装填突起４５０に係止されているので、装填部材３４０のみ伸びながら洗浄水供給ワイヤー３０の装填力を保有するようになる。
【００３７】
また、図１３に示すように、前記人体検知部１００’に一側が固定された装填解除部４００の装填解除ワイヤー４１０は、便座１０と人体検知部１００’との間隔が狭くなるにつれてその緊張力が失われると、装填ガイド部材３６０と装填解除ワイヤー固定部材４２０とを連結した装填解除ワイヤー支持部材４３０の復元力で装填解除ワイヤー固定部材４２０の装填解除ワイヤー固定体４２１と装填解除ワイヤー４１０を引いて装填解除ワイヤー４１０の緊張力が維持されるようにする。
【００３８】
ここで、前記装填解除ワイヤー支持部材４３０の復元力で引かれる装填解除ワイヤー固定部材４２０の装填解除ワイヤー固定体４２１は、装填解除ワイヤー支持部材４３０の方向に移動しながら、装填解除ワイヤー固定体４２１に突設された装填解除ワイヤー突起４２２が装填解除部材４４０の装填解除ワイヤー突起４４３に密着するとともに、この状態でも装填解除ワイヤー支持部材４３０の復元力で装填解除ワイヤー固定体４２１が装填解除ワイヤー支持部材４３０の方向に移動しながら装填解除ワイヤー突起４２２が装填解除ワイヤー突起４４３に沿って上方に移動し、前記装填解除ワイヤー突起４２２が装填解除ワイヤー突起４４３を通過すると、自重で再び下方に移動して装填解除ワイヤー突起４４３の後方に装填解除ワイヤー突起４２２が位置するようになる。
【００３９】
また、図１０及び図１４に示すように、便座１０と人体検知部１００’との間隔が狭くなるにつれて、人体検知部１００’に固定された調節部５００の昇降案内部材５４０が調節体５１０の内側上端部へ移動しながら調節体５１０の内部空気を圧縮させると同時に、圧縮された空気が開閉部材５２０を加圧して開放される空気排出孔５１１に通過した後、離脱防止部材５３０を介して外部へ排出される。
【００４０】
前記昇降案内部材５４０が調節体５１０の内側上端部へ移動しながら、昇降案内部材５４０の上面に突設されたトイレットペーパー廃棄時間調節部５７０のトイレットペーパータイム調節リブ５７１がリブ着脱溝５７２に結合されることにより、昇降案内部材５４０が調節体５１０の内側上端部へ移動してトイレットペーパータイム調節開閉部材５７４を加圧すると同時に、トイレットペーパータイム調節開閉部材５７４は、開閉復元部材５７５を圧縮させながら調節体５１０の内側上端部へ移動してトイレットペーパータイム調節孔５７３を開放させ、開放したトイレットペーパータイム調節孔５７３を介して調節体５１０内の空気が外部へ排出される。
【００４１】
前記トイレットペーパータイム調節リブ５７１がリブ着脱溝５７２に結合されるとき、リブ着脱溝５７２の内部空気は、小便量調節孔２１８を介して調節体５１０の外部へ排出される。ところが、前記小便量調節孔２１８を小便量開閉部材２１９が復元部材２２０の復元力で閉鎖させてはいるが、リブ着脱溝５７２内の空気圧力が高くなるにつれて小便量開閉部材２１９と復元部材２２０を押し出して小便量調節孔２１８を開放するとともに、小便量調節孔２１８には空気案内溝２１８’が設けられており、小便量開閉部材２１９が小便量調節孔２１８に結合された状態でもリブ着脱溝５７２の内部空気を外部へ排出させることができる。
【００４２】
ここで、前記トイレットペーパータイム調節孔５７３と小便量調節孔２１８から排出される空気は、トイレットペーパータイム調節孔５７３と小便量調節孔２１８に空気量調節フィルター５７６、２２１が取り付けられており、トイレットペーパータイム調節孔５７３と小便量調節孔２１８に締結されるトイレットペーパータイム調節ボルト５７７と小便量調節ボルト２２２による空気量調節フィルター５７６、２２１の圧縮程度に応じて空気の移動量を調節することができる。
【００４３】
前記便座１０に座った用便者の用便後、用便者が便座１０から立ち上がると、図１５に示すように、人体検知部１００、１００’のシートバネ１３０の復元力で便座１０と人体検知部１００、１００’との間隔が広くなると同時に、図１６及び図１７に示すように、人体検知部１００’に固定された昇降案内部材５４０が調節体５１０の内側下端部へ移動しながら調節体５１０の内部圧力が高くなり、これにより調節体５１０が外部の空気を吸入する。
【００４４】
この際、前記調節体５１０の空気排出孔５１１は、開閉部材５２０によって閉鎖されているので、外部の空気を吸入することができず、調節体５１０の上面に突設されたトイレットペーパータイム調節リブ５７１がリブ着脱溝５７２の下端部へ移動しながら小便量調節孔２１８、トイレットペーパータイム調節孔５７３及び通孔５４１を介して外部の空気を吸入するが、前記小便量調節孔２１８、通孔５４１及びトイレットペーパータイム調節孔５７３は、小便量調節ボルト２２２、ボルト５６０及びトイレットペーパータイム調節ボルト５７７によって空気量調節フィルター２２１、５５０、５７６が設置されており、前記空気量調節フィルターの圧縮程度に応じて空気の移動量を調節することができる。
【００４５】
ここで、前記トイレットペーパータイム調節リブ５７１がシール部材（図示せず）を介してリブ着脱溝５７２の内面に密着するので、トイレットペーパータイム調節リブ５７１がリブ着脱溝５７２から離脱する時間を遅延させ、この遅延時間が用便者のトイレットペーパーを捨てる時間である。
【００４６】
前記トイレットペーパータイム調節リブ５７１がリブ着脱溝５７２から離脱すると同時に、昇降案内部材５４０の加圧力が解除されたトイレットペーパータイム調節開閉部材５７４の下降及び開閉復元部材５７５の復元力で移動してトイレットペーパータイム調節孔５７３を閉鎖させながら、小便量調節孔２１８に吸い込まれて移動する空気量に応じて昇降案内部材５４０の復元時間を遅延させるが、前記昇降案内部材５４０の復元時間が作動部３００の作動時間である。
【００４７】
また、図１８〜図２０に示すように、前記人体検知部１００’のシートバネ１３０の復元力で便座１０と人体検知部１００’との間隔が広くなるにつれて、人体検知部１００’に一側が固定された装填解除ワイヤー４１０の緊張力が発生すると、前記装填解除ワイヤー４１０の緊張力で装填解除ワイヤー固定部材４２０及び装填解除ワイヤー支持部材４３０を引っ張って移動させる。
【００４８】
このとき、前記装填解除ワイヤー固定部材４２０の移動で装填解除ワイヤー突起４２２が装填解除部材４４０の装填解除ワイヤー突起４４３を加圧すると、前記装填解除ワイヤー突起４４３は、装填解除ワイヤー突起４２２の傾斜面に沿って上昇すると同時に、装填解除部材４４０の装填解除突起４４２が装填突起４５０から離脱しながら装填解除突起４４２と装填突起４５０との結束力が解除される。
【００４９】
前記装填解除突起４４２と装填突起４５０との結束力が解除されると、保有された装填部材３４０の装填力で、装填案内部材３５０および該装填案内部材３５０に連結された洗浄ワイヤー３０を瞬間的に引いて移動させるが、前記装填案内部材３５０は、装填案内体３５１に突設された移動案内突起３５２が装填ガイド部材３６０のガイド溝３６２に沿ってガイド本体３６１の前方側に移動すると同時に、前記洗浄水供給ワイヤー３０が固定されたサイフォン蓋２０はオーバーフロー管を中心に上方に回転しながらオーバーフロー管の排水口を開放し、開放された排水口を介して水槽内の水が便器本体１０へ供給されるようにする。
【００５０】
前記水槽から便器本体１０に供給される水は、図２１に示すように、前記大小便区分部２００の小便量調節孔２１８を小便量開閉部材２１９が閉鎖させ、空気案内溝２１８’に吸い込まれて移動する空気の移動量及び小便量開閉部材２１９の小便量調節孔２１８の開放で吸い込まれて移動する空気の移動量によって、昇降案内部材５４０が調節体５１０の内側下端部へ移動する時間を調節することができるので、用便者の荷重で移動してシリンダーロッド２１３’と大小便切替部材２１７との接触有無によって区分された用便者の大小便に対応する水を便器本体１０へ供給して用便を洗浄することができる。
【００５１】
上記の過程で大小便の用便が洗浄されると、便座１０と人体検知部１００’との間隔が広くなるにつれて、図２２及び図２３に示すように、レバー３２０を加圧する加圧部材３１０の加圧力が失われると、サイフォン蓋２０は自重で下方回転してオーバーフロー管の排水口を閉鎖させながら、前記サイフォン蓋２０の下降回転で洗浄水供給ワイヤー３０及び装填案内部材３５０を引っ張るが、前記装填案内部材３６０は、装填案内体３５１に突設された移動案内突起３５２が装填ガイド部材３６０のガイド溝３６２に沿ってガイド本体３６１の後方側へ移動する。
【００５２】
このとき、前記装填案内部材３５０は、装填ガイド部材３６０の後方側に移動して、装填突起４５０が装填解除部材４４０の装填解除突起４４２を上方に押し上げながら通過すると同時に、装填突起４５０が装填解除突起４４２を通過すると、装填解除部材４４０の自重で下降して装填解除突起４４２と装填突起４５０とを結束させる。
【００５３】
また、前記装填案内部材３５０が装填ガイド部材３６０の後方側に移動しながら装填部材３４０が自体の弾力で復元されると同時に、装填部材３４０に連結された装填ワイヤー３３０を引っ張るが、前記装填ワイヤー３３０は加圧部材３１０の加圧力が失われたレバー３２０を引き、前記レバー３２０は先端を中心に他側から一側へ回転して復元される。
【００５４】
また、前記人体検知部１００のシートバネ１３０の復元力で便座１０と人体検知部１００との間隔が広くなるにつれてシリンダーワイヤー２１１に緊張力が発生すると、図２４に示すように、前記シリンダーワイヤー２１１の緊張力でシリンダーバネ２１５を圧縮させながらロッドピン２１３及びシリンダーロッド２１３’を引いて移動させるとともに、シリンダーロッド２１３’の移動によってパッキン２１６が結合溝２３１ｂを通過して結合溝２１３ｂ’へ移動するとき、第２キャップ２１４’の内周面と溝２１４ａを開放して空気の流入を案内するのはもちろんのこと、前記ロッドピン２１３及びシリンダーロッド２１３’の移動に伴うシリンダー体２１０の内部空気は空気量調節フィルター２１３ｃ及び第１キャップ２１４を経由して排出される。
【００５５】
また、前記人体検知部１００’のシートバネ１３０の復元力で便座１０と人体検知部１００’との間隔が広くなるにつれて装填解除ワイヤー４１０に緊張力が発生すると、図２５に示すように、前記装填解除ワイヤー４１０の緊張力で装填解除ワイヤー支持部材４３０を引張させながら装填解除ワイヤー固定部材４２０を引いて装填解除ワイヤー突起４２２が装填解除ワイヤー突起４４３の先端に位置し、図２６に示すように、前記便座１０と人体検知部１００、１００’との間隔が広くなるにつれてフック１２０がフック結合孔１２１に係止されながら、次の動作を待機する。
【００５６】
ここで、前記接触部材２１７ａ、２１７ｂは、両方とも磁石であるか、或いは、いずれか一方は磁石でもう一方は金属材であってもよい。
【００５７】
上述の如く、本発明は、たとえ限定された実施例と図面によって説明されたが、本明細書及び請求の範囲で使用された用語や単語は通常的かつ辞典的な意味に限定されて解釈されてはならず、本発明の技術的思想に合致する意味と概念で解釈されなければならない。したがって、本明細書に記載された実施例及び図面に示された構成は、本発明の一実施例に過ぎないもので、本発明の技術的思想をすべて代弁するものではない。よって、本発明の請求の範囲から外れない範疇内において様々な均等物と変形例があり得ることを理解すべきである。
【符号の説明】
【００５８】
１００、１００’    人体検知部
１１０    感知板
１２０    フック
１３０    シートバネ
２００    大小便区分部
２１０    シリンダー体
３００    作動部
３１０    加圧部材
３２０    レバー
３３０    装填ワイヤー
３４０    装填部材
３５０    装填案内部材
３６０    装填ガイド部材
４００    装填解除部
４１０    装填解除ワイヤー
４２０    装填解除ワイヤー固定部材
４３０    装填解除ワイヤー支持部材
４４０    装填解除部材  
４５０    装填突起
５００    調節部  
５１０    調節体
５２０    開閉部材
５３０    離脱防止部材
５４０    昇降案内部材  
５５０    空気量調節フィルター
５６０    ボルト
５７０    トイレットペーパー廃棄時間調節部
【図１】
0006304383.tif 000002
【図２】
0006304383.tif 000003
【図３】
0006304383.tif 000004
【図４】
0006304383.tif 000005
【図５】
0006304383.tif 000006
【図６】
0006304383.tif 000007
【図７】
0006304383.tif 000008
【図８】
0006304383.tif 000009
【図９】
0006304383.tif 000010
【図１０】
0006304383.tif 000011
【図１１】
0006304383.tif 000012
【図１２】
0006304383.tif 000013
【図１３】
0006304383.tif 000014
【図１４】
0006304383.tif 000015
【図１５】
0006304383.tif 000016
【図１６】
0006304383.tif 000017
【図１７】
0006304383.tif 000018
【図１８】
0006304383.tif 000019
【図１９】
0006304383.tif 000020
【図２０】
0006304383.tif 000021
【図２１】
0006304383.tif 000022
【図２２】
0006304383.tif 000023
【図２３】
0006304383.tif 000024
【図２４】
0006304383.tif 000025
【図２５】
0006304383.tif 000026
【図２６】
0006304383.tif 000027